(57)【要約】【課題】折り曲げ可能な表示部の技術を応用することによって、エンジニアまたはユーザーが正面以外の方向からでも表示部に表示されている情報を視認しやすい画像形成装置を提供する。【解決手段】画像形成装置１００は、折り曲げ可能な操作パネル１０と、画像形成装置１００を制御する制御部とを備える。制御部は、操作パネル１０が折り曲げられた場合に、折り曲げ位置を境にして操作パネル１０の表示領域を第１表示領域と第２表示領域とに分割し、折り曲げられる前の操作パネル１０には表示されていなかった新たな情報を第２表示領域に表示する。【選択図】図１
2020187591.tif 000002
【特許請求の範囲】
【請求項１】
画像形成装置であって、
折り曲げ可能な表示部と、
前記画像形成装置を制御する制御部とを備え、
前記制御部は、
前記表示部が折り曲げられた場合に、折り曲げ位置を境にして前記表示部の表示領域を第１表示領域と第２表示領域とに分割し、
折り曲げられる前の前記表示部には表示されていなかった新たな情報を前記第２表示領域に表示する、画像形成装置。
【請求項２】
前記制御部は、折り曲げられる前の前記表示部に表示されていた情報を縮小して前記第１表示領域に表示する、請求項１に記載の画像形成装置。
【請求項３】
前記制御部は、折り曲げられる前の前記表示部に表示されていた情報を折り曲げられる前の前記表示部に表示されていたときのサイズで前記第１表示領域に表示し、折り曲げられる前の前記表示部に表示されていた情報のうち、前記第１表示領域には表示し切れない表示をスクロール表示する、請求項１に記載の画像形成装置。
【請求項４】
前記表示部の表示領域を前記第１表示領域と前記第２表示領域とに分割することは、前記画像形成装置の背面部において故障が発生し、かつ、前記表示部が前記背面部の方向に折り曲げられた場合に、前記折り曲げ位置を境にして前記表示部の表示領域を前記画像形成装置の正面部の方向に向く前記第１表示領域と前記背面部の方向に向く前記第２表示領域とに分割することを含み、
前記制御部は、前記第１表示領域を消灯する、請求項１に記載の画像形成装置。
【請求項５】
前記表示部は前記画像形成装置に対して回転自在に取り付けられている、請求項１〜請求項４のいずれか１項に記載の画像形成装置。
【請求項６】
前記新たな情報を前記第２表示領域に表示することは、前記画像形成装置において故障が発生し、かつ、前記表示部が折り曲げられた場合に、前記第２表示領域に故障に関する情報を表示することを含み、
前記制御部は、前記表示部が折り曲げられている場合であっても、前記画像形成装置が前記故障から復帰した場合には、前記第１表示領域と前記第２表示領域との分割表示を解除する、請求項１〜請求項５のいずれか１項に記載の画像形成装置。
【発明の詳細な説明】
【技術分野】
【０００１】
本開示は、画像形成装置に関するものである。
【背景技術】
【０００２】
近年、画像形成装置は複合機としての役割以外に、サーバー機能を備え、オフィスのハブとしての役割を担うようになってきている。これに伴い、画像形成装置がオフィスの中心に配置され、画像形成装置が正面からだけではなく正面以外の方向からも操作されることが想定される。たとえば、画像形成装置が故障した場合には、エンジニアが正面以外の方向から画像形成装置を操作することが想定される。紙詰まりが発生した場合には、エンジニアまたはユーザーが正面以外の方向から画像形成装置を操作することが想定される。複数人が同時に設定操作を行う場合には、あるユーザーは正面から画像形成装置を操作し、あるユーザーは正面以外の方向から画像形成装置を操作することが想定される。
【０００３】
しかしながら、現状の画像形成装置においては、設定画面や操作手順を示す情報が表示される表示部が画像形成装置の正面に固定されているため、正面以外の方向からでは表示部に表示されている情報が見えづらいという問題がある。そのため、エンジニアまたはユーザーが正面以外の方向からでも表示部に表示されている情報を視認しやすい技術が必要とされている。
【０００４】
一方、昨今、特開２０１４−３５４９６号公報（特許文献１）に開示されているように、有機ＥＬなどのデバイスを用いて、フレキシブルに曲げたり丸めたりできる表示デバイス（表示部）が開発されている。
【先行技術文献】
【特許文献】
【０００５】
【特許文献１】特開２０１４−３５４９６号公報
【発明の概要】
【発明が解決しようとする課題】
【０００６】
そこで、本開示は、折り曲げ可能な表示部の技術を応用することによって、エンジニアまたはユーザーが正面以外の方向からでも表示部に表示されている情報を視認しやすい画像形成装置を提供することを一つの目的とする。
【課題を解決するための手段】
【０００７】
ある実施の形態に従う画像形成装置は、折り曲げ可能な表示部と、画像形成装置を制御する制御部とを備え、制御部は、表示部が折り曲げられた場合に、折り曲げ位置を境にして表示部の表示領域を第１表示領域と第２表示領域とに分割し、折り曲げられる前の表示部には表示されていなかった新たな情報を第２表示領域に表示する。
【発明の効果】
【０００８】
本開示によれば、折り曲げ可能な表示部の技術を応用することによって、エンジニアまたはユーザーが正面以外の方向からでも表示部に表示されている情報を視認しやすくなる。
【図面の簡単な説明】
【０００９】
【図１】実施の形態１における画像形成装置を示す図である。
【図２】実施の形態１における画像形成装置のハードウェア構成を示すブロック図である。
【図３】実施の形態１において、折り曲げられる前の操作パネルにおける表示の一例を示す図である。
【図４】実施の形態１において、故障時に操作パネルが折り曲げられたときの表示の一例を示す図である。
【図５】実施の形態１における制御部の処理を示すフローチャートである。
【図６】実施の形態２において、故障時に操作パネルが折り曲げられたときの表示の一例を示す図である。
【図７】実施の形態２における制御部の処理を示すフローチャートである。
【図８】実施の形態３において、故障時に操作パネルが折り曲げられたときの表示の一例を示す図である。
【図９】実施の形態３における制御部の処理を示すフローチャートである。
【図１０】実施の形態４において、画像形成装置の背面部において故障が発生し、かつ、操作パネルが画像形成装置の背面部の方向に折り曲げられたときの表示の一例を示す図である。
【図１１】実施の形態４における制御部の処理を示すフローチャートである。
【図１２】実施の形態５における画像形成装置を示す図である。
【発明を実施するための形態】
【００１０】
以下、各実施の形態について、図面を参照しながら詳細に説明する。なお、図中の同一または相当部分については、同一符号を付してその説明は繰り返さない。
【００１１】
［実施の形態１］
図１は、実施の形態１における画像形成装置１００を示す図である。画像形成装置１００は、スキャナー機能、コピー機能、ファクシミリ機能、ネットワーク機能、ＢＯＸ機能といった複数の機能が搭載された複合機（ＭＦＰ：Multi Function Peripheral）である。しかしながら、画像形成装置１００は複合機に限定されるものではなく、複写機、プリンター、またはファクシミリといったどのような形態で実装されてもよい。
【００１２】
画像形成装置１００は、本体９０を備える。本体９０は、スキャナー２０とプリンター３０とを備えている。本体９０は、その上面にスキャナー２０に原稿を送るフィーダ４を備えている。本体９０は、その下部にプリンター３０に用紙を供給するための複数の給紙部９を備えている。本体９０は、その中央部にプリンター３０によって画像を形成された用紙が排紙されるトレー８を備えている。
【００１３】
本体９０は、その正面部上方に、操作パネル１０を備える。操作パネル１０は、タッチパネル付の液晶ディスプレイ（ＬＣＤ：Liquid Crystal Display）であり、ユーザーからの各種操作を受け付けるとともに、各種設定画面、または、インストラクションを表示する。インストラクションとは、画像形成装置１００で故障が発生した場合の修理に関する情報であり、例えば、故障の発生箇所、故障の内容、修理手順、修理が完了したことを示すメッセージ、消耗品の交換を促すメッセージ、消耗品の交換手順等である。
【００１４】
操作パネル１０は、ユーザーが任意の位置で、任意の方向に折り曲げることができる。図１では一例として、操作パネル１０が右方向に折り曲げられた場合を示している。
【００１５】
画像形成装置１００の右側面部で故障が発生した場合には、エンジニアは操作パネル１０を右方向に折り曲げることで、操作パネル１０に表示される手順を見ながら修理することができる。画像形成装置１００の左側面部において紙詰まりが発生した場合には、エンジニアまたはユーザーは操作パネル１０を左方向に折り曲げることで、操作パネル１０に表示される手順を見ながら紙を取り除くことができる。画像形成装置１００の背面部で故障が発生した場合には、エンジニアは操作パネル１０を背面部の方向に折り曲げることで、操作パネル１０に表示される手順を見ながら修理することができる。画像形成装置１００の正面部下方にある給紙部９において紙詰まりが発生した場合には、エンジニアまたはユーザーは操作パネル１０を下方向に折り曲げることで、操作パネル１０に表示される手順を見ながら紙を取り除くことができる。複数のユーザーが同時に設定操作を行う場合には、あるユーザーは正面から画像形成装置を操作し、あるユーザーは操作パネル１０を正面以外の方向に折り曲げることで正面以外の方向から画像形成装置を操作することができる。
【００１６】
図２は、実施の形態１における画像形成装置１００のハードウェア構成を示すブロック図である。画像形成装置１００は、操作パネル１０、スキャナー２０、プリンター３０、ファクシミリ４０、ハードディスク５０、ネットワークインターフェース６０、および制御部７０を備えている。操作パネル１０、スキャナー２０、プリンター３０、ファクシミリ４０、ハードディスク５０、ネットワークインターフェース６０、および制御部７０は、バス８０を介して接続されている。
【００１７】
操作パネル１０は、先に述べたので、その説明は繰り返さない。スキャナー２０は、プラテンガラス上にセットされた原稿、または、フィーダ４から送られてきた原稿を走査し、画像データに変換する。
【００１８】
プリンター３０は、スキャナー２０で変換した画像データ、または、ネットワークインターフェース６０を介して受信した画像データに基づいて、画像を用紙上に形成する。
【００１９】
ファクシミリ４０は、他の画像形成装置（図示せず）とファクシミリ通信を行う。
【００２０】
ハードディスク５０は、プログラムや各種データ等を記憶する。
【００２１】
ネットワークインターフェース６０は、ネットワーク９９を介して接続されたＰＣ（図示せず）または他の画像形成装置（図示せず）等の外部装置との間で各種情報を送受信する。
【００２２】
制御部７０は、ＣＰＵ（Central Processing Unit）７１、ＲＯＭ（Read Only Memory）７２、Ｓ−ＲＡＭ（Static Random Access Memory）７３、ＮＶ−ＲＡＭ（Non-Volatile Random Access Memory：不揮発性メモリ）７４等から構成される。
【００２３】
ＣＰＵ７１は、ＲＯＭ７２等に保存されている動作プログラムを実行することにより、画像形成装置１００全体を総括的に制御する。実施の形態１においては、ＣＰＵ７１による動作プログラムの実行により、ユーザーによる操作パネル１０の折り曲げに対応して、操作パネル１０の表示が変更される。
【００２４】
ＲＯＭ７２は、ＣＰＵ７１が実行するプログラムやその他のデータを記憶する。Ｓ−ＲＡＭ７３は、ＣＰＵ７１がプログラムを実行する際の作業領域となるものであり、プログラムやプログラムを実行する際のデータ等を一時的に記憶する。ＮＶ−ＲＡＭ７４は、バッテリーでバックアップされた不揮発性メモリであり、画像形成に係わる各種の設定等を記憶する。
【００２５】
なお、画像形成装置１００は、上記構成以外に、外部装置との間で短距離無線通信を行う短距離無線インターフェース、または、無線信号を介して外部装置との間で情報を送受信するＷｉｒｅｌｅｓｓインターフェース等を備えていてもよい。
【００２６】
図３は、実施の形態１において、折り曲げられる前の操作パネル１０における表示の一例を示す図である。図３では、操作パネル１０の全面にコピーの設定画面が表示されている。コピーの設定画面には、例えば、カラーモード／モノクロモード、用紙サイズ、片面／両面、または２ｉｎ１等、コピー機能に関する各種項目が表示される。ユーザーは、操作パネル１０に表示されている項目をタッチすることにより、設定を行う。なお、折り曲げられる前の操作パネル１０には、コピーの設定画面に替えて、スキャンの設定画面、ファクシミリの設定画面、またはメニュー画面等が表示されていてもよい。
【００２７】
図４は、実施の形態１において、故障時に操作パネル１０が折り曲げられたときの表示の一例を示す図である。ここでは、故障が画像形成装置１００の右側面部で発生しているものとし、折り曲げられる前の操作パネル１０には図３に示したコピーの設定画面が表示されていたものとして説明する。
【００２８】
図４に示す１点鎖線Ｐ１は、ユーザーによる折り曲げ位置を示している。操作パネル１０の表示領域は、折り曲げ位置を境に、画像形成装置１００の正面部の方向に向いている領域（以下、「領域Ｍ１」とも称す）と、故障が発生している方向に向いている領域（以下、「領域Ｓ１」とも称す）とに分割される。領域Ｍ１には、折り曲げられる前の操作パネル１０に表示されていたコピーの設定画面の一部が継続して表示される。一方、領域Ｓ１には、折り曲げられる前の操作パネル１０には表示されていなかった故障修理方法の画面が表示される。
【００２９】
操作パネル１０の表示領域は領域Ｍ１と領域Ｓ１とに分割されるため、コピーの設定画面の一部（図４に示す点線部分Ｑ）は表示されなくなる。しかしながら、画像形成装置１００が故障から復帰した場合には、操作パネル１０の分割表示が解除される。これにより、故障修理方法の画面が消去され、折り曲げられる前の操作パネル１０に表示されていたコピーの設定画面が操作パネル１０の表示領域の全面に表示される。
【００３０】
図５は、実施の形態１における制御部７０の処理を示すフローチャートである。ＣＰＵ７１がＲＯＭ７２に格納されている所定のプログラムを実行することにより実現される。
【００３１】
ステップＳ５１０において、制御部７０は、画像形成装置１００で故障が発生しているか否かを判定する。画像形成装置１００で故障が発生している場合には（ステップＳ５１０においてＹＥＳ）、制御部７０は、ステップＳ５２０に移行する。一方、画像形成装置１００で故障が発生していない場合には（ステップＳ５１０においてＮＯ）、制御部７０は、図５に示す処理を終了する。
【００３２】
ステップＳ５２０において、制御部７０は、操作パネル１０が折り曲げられたか否かを判定する。制御部７０は、操作パネル１０が折り曲げられるまでステップＳ５２０を繰り返し、操作パネル１０が折り曲げられた場合には（ステップＳ５２０においてＹＥＳ）、ステップＳ５３０に移行する。
【００３３】
ステップＳ５３０において、制御部７０は、折り曲げ位置を境に、操作パネル１０の表示領域を領域Ｍ１と領域Ｓ１とに分割する。領域Ｍ１は画像形成装置１００の正面部の方向に向いている領域であり、領域Ｓ１は故障が発生している方向に向いている領域である。
【００３４】
ステップＳ５４０において、制御部７０は、折り曲げられる前の操作パネル１０に表示していた画面（例えば、コピーの設定画面等）の一部を領域Ｍ１に継続して表示し、折り曲げられる前の操作パネル１０には表示していなかった新たな情報（例えば、故障修理方法の画面等）を領域Ｓ１に表示する。
【００３５】
ステップＳ５５０において、制御部７０は、画像形成装置１００が故障から復帰したか否かを判定する。制御部７０は、画像形成装置１００が故障から復帰するまでステップＳ５５０を繰り返し、画像形成装置１００が故障から復帰した場合には（ステップＳ５５０においてＹＥＳ）、ステップＳ５６０に移行する。
【００３６】
ステップＳ５６０において、制御部７０は、操作パネル１０の分割表示を解除し、図５に示す処理を終了する。
【００３７】
このように、実施の形態１においては、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ１と、故障が発生している方向に向いている領域Ｓ１とに分割し、領域Ｓ１には、折り曲げられる前の操作パネル１０には表示していなかった修理に関する情報を表示する。これにより、エンジニアは、操作パネル１０に表示される修理に関する情報を正面以外の方向からでも視認しやすくなる。その結果、エンジニアは、操作パネル１０に表示される修理に関する情報を閲覧するために、故障箇所と操作パネル１０との間を行き来する必要がないので、円滑に修理を行うことができる。
【００３８】
また、実施の形態１においては、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ１と、故障が発生している方向に向いている領域Ｓ１とに分割し、領域Ｍ１には、折り曲げられる前の操作パネル１０に表示していた画面の一部を継続して表示する。これにより、領域Ｓ１に表示されている修理に関する情報をエンジニアが確認している間に、ユーザーは領域Ｍ１に表示されている画面を操作することができるので、ユーザーの利便性が向上する。
【００３９】
また、実施の形態１においては、画像形成装置１００が故障から復帰した場合には、制御部７０は、操作パネル１０の分割表示を解除し、折り曲げられる前の操作パネル１０に表示していた画面を操作パネル１０の表示領域の全面に表示する。これにより、修理をしていたエンジニア、または、修理後に画像形成装置１００を使用するユーザーに、操作パネル１０の折り曲げ状態を解除してもよいことを喚起することができる。その結果、エンジニアが修理後に操作パネル１０の折り曲げ状態を解除し忘れることを防ぐことができる。仮に、エンジニアが操作パネル１０の折り曲げ状態を解除し忘れていたとしても、次に画像形成装置１００を使用するユーザーが操作パネル１０の折り曲げ状態を解除してもよいことに気づくことができる。
【００４０】
なお、実施の形態１においては、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ１と、故障が発生している方向に向いている領域Ｓ１とに分割し、領域Ｍ１には、折り曲げられる前の操作パネル１０に表示していた画面の一部を継続して表示した。これに対し、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ１と、故障が発生している方向に向いている領域Ｓ１とに分割し、領域Ｍ１には、折り曲げられる前の操作パネル１０に表示していた画面に替えて、操作パネル１０が折り曲げられていることを示すメッセージを表示してもよい。
【００４１】
また、実施の形態１においては、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ１と、故障が発生している方向に向いている領域Ｓ１とに分割した。制御部７０は、折り曲げられる前の操作パネル１０に表示していた画面の一部を領域Ｍ１に継続して表示し、折り曲げられる前の操作パネル１０には表示していなかった修理に関する情報を領域Ｓ１に表示した。これに対し、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ１と、故障が発生している方向に向いている領域Ｓ１とに分割し、いずれの領域においても、折り曲げられる前の操作パネル１０には表示していなかった修理に関する情報を表示してもよい。これにより、エンジニアは、操作パネル１０に表示される修理に関する情報を正面の方向からだけでなく、正面以外の方向からでも視認しやすくなる。複数の方向から修理に関する情報を閲覧することが可能となるので、複数人で修理に当たる場合に便利であり、修理の作業効率が向上する。
【００４２】
また、実施の形態１においては、操作パネル１０が折り曲げられたとしても、画像形成装置１００で故障が発生していない場合には、制御部７０は、操作パネル１０の表示領域を二つに分割しなかった。しかしながら、画像形成装置１００で故障が発生していない場合であっても、操作パネル１０が折り曲げられた場合には、制御部７０は、折り曲げ位置を境に操作パネル１０の表示領域を二つに分割し、一方の領域には、折り曲げられる前の操作パネル１０に表示していた設定画面の一部を継続して表示し、他方の領域には、折り曲げられる前の操作パネル１０には表示していなかった他の設定画面を表示してもよい。これにより、ユーザーは、操作パネル１０に表示される設定画面を正面の方向からだけでなく、正面以外の方向からでも視認しやすくなる。複数の方向から設定画面を視認することが可能となるので、複数人が同時に操作することが可能となり、ユーザーの利便性が向上する。
【００４３】
［実施の形態２］
次に、実施の形態２について説明する。実施の形態１においては、操作パネル１０が折り曲げられると、制御部７０は、操作パネル１０の表示領域を折り曲げ位置を境に領域Ｍ１と領域Ｓ１とに分割し、折り曲げられる前の操作パネル１０に表示していた画面の一部のみを領域Ｍ１に継続して表示し、折り曲げられる前の操作パネル１０には表示していなかった新たな情報を領域Ｓ１に表示した。すなわち、実施の形態１においては、操作パネル１０が折り曲げられたことにより、ユーザーは、折り曲げられる前の操作パネル１０に表示されていた画面の一部を視認することができなくなっていた。これに対し、実施の形態２においては、操作パネルが折り曲げられると、制御部は、操作パネルの表示領域を折り曲げ位置を境に二つの領域に分割し、画像形成装置の正面部の方向に向いている領域には、折り曲げられる前の操作パネルに表示していた画面を縮小して表示し、故障が発生している方向に向いている領域には、折り曲げられる前の操作パネルには表示していなかった新たな情報を表示する。これにより、操作パネルが折り曲げられた場合であっても、ユーザーは、折り曲げられる前の操作パネルに表示されていた画面の全てを視認することができる。なお、実施の形態１と同様の構成については同じ符号を付して、その説明は繰り返さない。
【００４４】
図６は、実施の形態２において、故障時に操作パネル１０が折り曲げられたときの表示の一例を示す図である。ここでは、故障が画像形成装置１００の右側面部で発生しているものとし、折り曲げられる前の操作パネル１０には図３に示したコピーの設定画面が表示されていたものとして説明する。
【００４５】
図６に示す１点鎖線Ｐ２は、ユーザーによる折り曲げ位置を示している。操作パネル１０の表示領域は、折り曲げ位置を境に、画像形成装置１００の正面部の方向に向いている領域（以下、「領域Ｍ２」とも称す）と、故障が発生している方向に向いている領域（以下、「領域Ｓ２」とも称す）とに分割される。領域Ｍ２には、折り曲げられる前の操作パネル１０に表示されていたコピーの設定画面が縮小されて表示される。一方、領域Ｓ２には、折り曲げられる前の操作パネル１０には表示されていなかった故障修理方法の画面が表示される。
【００４６】
領域Ｍ２では、折り曲げられる前の操作パネル１０に表示されていた画面が縮小されて表示されることにより、空白部分が生じる。この空白部分には、図６に示すような黒帯Ｒが表示されてもよいし、白帯が表示されてもよい。
【００４７】
画像形成装置１００が故障から復帰した場合には、操作パネル１０の分割表示が解除される。これにより、故障修理方法の画面が消去され、折り曲げられる前の操作パネル１０に表示されていたコピーの設定画面が操作パネル１０の表示領域の全面に表示される。
【００４８】
図７は、実施の形態２における制御部７０の処理を示すフローチャートである。ＣＰＵ７１がＲＯＭ７２に格納されている所定のプログラムを実行することにより実現される。
【００４９】
ステップＳ７１０において、制御部７０は、画像形成装置１００で故障が発生しているか否かを判定する。画像形成装置１００で故障が発生している場合には（ステップＳ７１０においてＹＥＳ）、制御部７０は、ステップＳ７２０に移行する。一方、画像形成装置１００で故障が発生していない場合には（ステップＳ７１０においてＮＯ）、制御部７０は、図７に示す処理を終了する。
【００５０】
ステップＳ７２０において、制御部７０は、操作パネル１０が折り曲げられたか否かを判定する。制御部７０は、操作パネル１０が折り曲げられるまでステップＳ７２０を繰り返し、操作パネル１０が折り曲げられた場合には（ステップＳ７２０においてＹＥＳ）、ステップＳ７３０に移行する。
【００５１】
ステップＳ７３０において、制御部７０は、折り曲げ位置を境に、操作パネル１０の表示領域を領域Ｍ２と領域Ｓ２とに分割する。領域Ｍ２は画像形成装置１００の正面部の方向に向いている領域であり、領域Ｓ２は故障が発生している方向に向いている領域である。
【００５２】
ステップＳ７４０において、制御部７０は、折り曲げられる前の操作パネル１０に表示していた画面（例えば、コピーの設定画面等）を縮小して領域Ｍ２に表示し、折り曲げられる前の操作パネル１０には表示していなかった新たな情報（例えば、故障修理方法の画面等）を領域Ｓ２に表示する。
【００５３】
ステップＳ７５０において、制御部７０は、画像形成装置１００が故障から復帰したか否かを判定する。制御部７０は、画像形成装置１００が故障から復帰するまでステップＳ７５０を繰り返し、画像形成装置１００が故障から復帰した場合には（ステップＳ７５０においてＹＥＳ）、ステップＳ７６０に移行する。
【００５４】
ステップＳ７６０において、制御部７０は、操作パネル１０の分割表示を解除し、図７に示す処理を終了する。
【００５５】
このように、実施の形態２においては、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ２と、故障が発生している方向に向いている領域Ｓ２とに分割し、領域Ｓ２には、折り曲げられる前の操作パネル１０には表示していなかった修理に関する情報を表示する。これにより、エンジニアは、操作パネル１０に表示される修理に関する情報を正面以外の方向からでも視認しやすくなる。その結果、エンジニアは、操作パネル１０に表示される修理に関する情報を閲覧するために、故障箇所と操作パネル１０との間を行き来する必要がないので、円滑に修理を行うことができる。
【００５６】
また、実施の形態２においては、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ２と、故障が発生している方向に向いている領域Ｓ２とに分割し、領域Ｍ２には、折り曲げられる前の操作パネル１０に表示していた画面を縮小して表示する。これにより、領域Ｓ２に表示されている修理に関する情報をエンジニアが確認している間に、ユーザーは領域Ｍ２に表示されている画面を操作することができるので、ユーザーの利便性が向上する。
【００５７】
また、実施の形態２においては、画像形成装置１００が故障から復帰した場合には、制御部７０は、操作パネル１０の分割表示を解除し、折り曲げられる前の操作パネル１０に表示していた画面を操作パネル１０の表示領域の全面に表示する。これにより、修理をしていたエンジニア、または、修理後に画像形成装置１００を使用するユーザーに、操作パネル１０の折り曲げ状態を解除してもよいことを喚起することができる。その結果、エンジニアが修理後に操作パネル１０の折り曲げ状態を解除し忘れることを防ぐことができる。仮に、エンジニアが操作パネル１０の折り曲げ状態を解除し忘れていたとしても、次に画像形成装置１００を使用するユーザーが操作パネル１０の折り曲げ状態を解除してもよいことに気づくことができる。
【００５８】
なお、実施の形態２においては、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ２と、故障が発生している方向に向いている領域Ｓ２とに分割し、領域Ｍ２には、折り曲げられる前の操作パネル１０に表示していた画面を縮小して表示した。これに対し、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ２と、故障が発生している方向に向いている領域Ｓ２とに分割し、領域Ｍ２には、折り曲げられる前の操作パネル１０に表示していた画面の縮小表示に替えて、操作パネル１０が折り曲げられていることを示すメッセージを表示してもよい。
【００５９】
また、実施の形態２においては、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ２と、故障が発生している方向に向いている領域Ｓ２とに分割した。制御部７０は、折り曲げられる前の操作パネル１０に表示していた画面を縮小して領域Ｍ２に表示し、折り曲げられる前の操作パネル１０には表示していなかった修理に関する情報を領域Ｓ２に表示した。これに対し、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ２と、故障が発生している方向に向いている領域Ｓ２とに分割し、いずれの領域においても、折り曲げられる前の操作パネル１０には表示していなかった修理に関する情報を表示してもよい。これにより、エンジニアは、操作パネル１０に表示される修理に関する情報を正面の方向からだけでなく、正面以外の方向からでも視認しやすくなる。複数の方向から修理に関する情報を閲覧することが可能となるので、複数人で修理に当たる場合に便利であり、修理の作業効率が向上する。
【００６０】
また、実施の形態２においては、操作パネル１０が折り曲げられたとしても、画像形成装置１００で故障が発生していない場合には、制御部７０は、操作パネル１０の表示領域を二つに分割しなかった。しかしながら、画像形成装置１００で故障が発生していない場合であっても、操作パネル１０が折り曲げられた場合には、制御部７０は、折り曲げ位置を境に操作パネル１０の表示領域を二つに分割し、一方の領域には、折り曲げられる前の操作パネル１０に表示していた設定画面を縮小して表示し、他方の領域には、折り曲げられる前の操作パネル１０には表示していなかった他の設定画面を表示してもよい。これにより、ユーザーは、操作パネル１０に表示される設定画面を正面の方向からだけでなく、正面以外の方向からでも視認しやすくなる。複数の方向から設定画面を視認することが可能となるので、複数人が同時に操作することが可能となり、ユーザーの利便性が向上する。
【００６１】
［実施の形態３］
次に、実施の形態３について説明する。実施の形態１においては、操作パネル１０が折り曲げられると、制御部７０は、操作パネル１０の表示領域を折り曲げ位置を境に領域Ｍ１と領域Ｓ１とに分割し、折り曲げられる前の操作パネル１０に表示していた画面の一部のみを領域Ｍ１に継続して表示し、折り曲げられる前の操作パネル１０には表示していなかった新たな情報を領域Ｓ１に表示した。すなわち、実施の形態１においては、操作パネル１０が折り曲げられたことにより、ユーザーは、折り曲げられる前の操作パネル１０に表示されていた画面の一部を視認することができなくなっていた。これに対し、実施の形態３においては、操作パネルが折り曲げられると、制御部は、操作パネルの表示領域を折り曲げ位置を境に二つの領域に分割し、画像形成装置の正面部の方向に向いている領域には、折り曲げられる前の操作パネルに表示していた画面をそのままのサイズで表示するとともに、スクロールバーを表示し、故障が発生している方向に向いている領域には、折り曲げられる前の操作パネルには表示していなかった新たな情報を表示する。これにより、操作パネルが折り曲げられた場合であっても、ユーザーは、折り曲げられる前の操作パネルに表示されていた画面の全てを視認することができる。なお、実施の形態１と同様の構成については同じ符号を付して、その説明は繰り返さない。
【００６２】
図８は、実施の形態３において、故障時に操作パネル１０が折り曲げられたときの表示の一例を示す図である。ここでは、故障が画像形成装置１００の右側面部で発生しているものとし、折り曲げられる前の操作パネル１０には図３に示したコピーの設定画面が表示されていたものとして説明する。
【００６３】
図８に示す１点鎖線Ｐ３は、ユーザーによる折り曲げ位置を示している。操作パネル１０の表示領域は、折り曲げ位置を境に、画像形成装置１００の正面部の方向に向いている領域（以下、「領域Ｍ３」とも称す）と、故障が発生している方向に向いている領域（以下、「領域Ｓ３」とも称す）とに分割される。領域Ｍ３には、折り曲げられる前の操作パネル１０に表示されていたコピーの設定画面が折り曲げられる前の操作パネル１０に表示されていたときのサイズで表示されるとともに、スクロールバーＷが表示される。一方、領域Ｓ３には、折り曲げられる前の操作パネル１０には表示されていなかった故障修理方法の画面が表示される。
【００６４】
領域Ｍ３には、折り曲げられる前の操作パネル１０に表示されていたコピーの設定画面が折り曲げられる前の操作パネル１０に表示されていたときのサイズで表示されるため、コピーの設定画面の一部が表示されなくなってしまうが、ユーザーは、スクロールバーＷを動かすことで、折り曲げられる前の操作パネル１０に表示されていた画面の全てを視認することが可能となる。
【００６５】
画像形成装置１００が故障から復帰した場合には、操作パネル１０の分割表示が解除される。これにより、故障修理方法の画面が消去され、折り曲げられる前の操作パネル１０に表示されていたコピーの設定画面が操作パネル１０の表示領域の全面に表示される。
【００６６】
図９は、実施の形態３における制御部７０の処理を示すフローチャートである。ＣＰＵ７１がＲＯＭ７２に格納されている所定のプログラムを実行することにより実現される。
【００６７】
ステップＳ９１０において、制御部７０は、画像形成装置１００で故障が発生しているか否かを判定する。画像形成装置１００で故障が発生している場合には（ステップＳ９１０においてＹＥＳ）、制御部７０は、ステップＳ９２０に移行する。一方、画像形成装置１００で故障が発生していない場合には（ステップＳ９１０においてＮＯ）、制御部７０は、図９に示す処理を終了する。
【００６８】
ステップＳ９２０において、制御部７０は、操作パネル１０が折り曲げられたか否かを判定する。制御部７０は、操作パネル１０が折り曲げられるまでステップＳ９２０を繰り返し、操作パネル１０が折り曲げられた場合には（ステップＳ９２０においてＹＥＳ）、ステップＳ９３０に移行する。
【００６９】
ステップＳ９３０において、制御部７０は、折り曲げ位置を境に、操作パネル１０の表示領域を領域Ｍ３と領域Ｓ３とに分割する。領域Ｍ３は画像形成装置１００の正面部の方向に向いている領域であり、領域Ｓ３は故障が発生している方向に向いている領域である。
【００７０】
ステップＳ９４０において、制御部７０は、領域Ｍ３には、折り曲げられる前の操作パネル１０に表示していた画面（例えば、コピーの設定画面等）を折り曲げられる前の操作パネル１０に表示していたときのサイズで表示するとともに、スクロールバーＷを表示し、領域Ｓ３には、折り曲げられる前の操作パネル１０には表示していなかった新たな情報（例えば、故障修理方法の画面等）を表示する。
【００７１】
ステップＳ９５０において、制御部７０は、画像形成装置１００が故障から復帰したか否かを判定する。制御部７０は、画像形成装置１００が故障から復帰するまでステップＳ９５０を繰り返し、画像形成装置１００が故障から復帰した場合には（ステップＳ９５０においてＹＥＳ）、ステップＳ９６０に移行する。
【００７２】
ステップＳ９６０において、制御部７０は、操作パネル１０の分割表示を解除し、図９に示す処理を終了する。
【００７３】
このように、実施の形態３においては、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ３と、故障が発生している方向に向いている領域Ｓ３とに分割し、領域Ｓ３には、折り曲げられる前の操作パネル１０には表示していなかった修理に関する情報を表示する。これにより、エンジニアは、操作パネル１０に表示される修理に関する情報を正面以外の方向からでも視認しやすくなる。その結果、エンジニアは、操作パネル１０に表示される修理に関する情報を閲覧するために、故障箇所と操作パネル１０との間を行き来する必要がないので、円滑に修理を行うことができる。
【００７４】
また、実施の形態３においては、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ３と、故障が発生している方向に向いている領域Ｓ３とに分割し、領域Ｍ３には、折り曲げられる前の操作パネル１０に表示していた画面を折り曲げられる前の操作パネル１０に表示していたときのサイズで表示するとともに、スクロールバーＷを表示する。これにより、領域Ｓ３に表示されている修理に関する情報をエンジニアが確認している間に、ユーザーは領域Ｍ３に表示されている画面を操作することができるので、ユーザーの利便性が向上する。
【００７５】
また、実施の形態３においては、画像形成装置１００が故障から復帰した場合には、制御部７０は、操作パネル１０の分割表示を解除し、折り曲げられる前の操作パネル１０に表示していた画面を操作パネル１０の表示領域の全面に表示する。これにより、修理をしていたエンジニア、または、修理後に画像形成装置１００を使用するユーザーに、操作パネル１０の折り曲げ状態を解除してもよいことを喚起することができる。その結果、エンジニアが修理後に操作パネル１０の折り曲げ状態を解除し忘れることを防ぐことができる。仮に、エンジニアが操作パネル１０の折り曲げ状態を解除し忘れていたとしても、次に画像形成装置１００を使用するユーザーが操作パネル１０の折り曲げ状態を解除してもよいことに気づくことができる。
【００７６】
なお、実施の形態３においては、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ３と、故障が発生している方向に向いている領域Ｓ３とに分割し、領域Ｍ３には、折り曲げられる前の操作パネル１０に表示していた画面を折り曲げられる前の操作パネル１０に表示していたときのサイズで表示するとともに、スクロールバーＷを表示した。これに対し、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ３と、故障が発生している方向に向いている領域Ｓ３とに分割し、領域Ｍ３には、操作パネル１０が折り曲げられていることを示すメッセージを表示してもよい。
【００７７】
また、実施の形態３においては、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ３と、故障が発生している方向に向いている領域Ｓ３とに分割した。制御部７０は、領域Ｍ３には、折り曲げられる前の操作パネル１０に表示していた画面を折り曲げられる前の操作パネル１０に表示していたときのサイズで表示するとともに、スクロールバーＷを表示し、領域Ｓ３には、折り曲げられる前の操作パネル１０には表示していなかった修理に関する情報を表示した。これに対し、画像形成装置１００で故障が発生している場合に操作パネル１０が折り曲げられると、制御部７０は、折り曲げ位置を境に操作パネル１０の表示領域を、画像形成装置１００の正面部の方向に向いている領域Ｍ３と、故障が発生している方向に向いている領域Ｓ３とに分割し、いずれの領域においても、折り曲げられる前の操作パネル１０には表示していなかった修理に関する情報を表示してもよい。これにより、エンジニアは、操作パネル１０に表示される修理に関する情報を正面の方向からだけでなく、正面以外の方向からでも視認しやすくなる。複数の方向から修理に関する情報を閲覧することが可能となるので、複数人で修理に当たる場合に便利であり、修理の作業効率が向上する。
【００７８】
また、実施の形態３においては、操作パネル１０が折り曲げられたとしても、画像形成装置１００で故障が発生していない場合には、制御部７０は、操作パネル１０の表示領域を二つに分割しなかった。しかしながら、画像形成装置１００で故障が発生していない場合であっても、操作パネル１０が折り曲げられた場合には、制御部７０は、折り曲げ位置を境に操作パネル１０の表示領域を二つに分割し、一方の領域には、折り曲げられる前の操作パネル１０に表示していた画面を折り曲げられる前の操作パネル１０に表示していたときのサイズで表示するとともに、スクロールバーＷを表示し、他方の領域には、折り曲げられる前の操作パネル１０には表示していなかった他の設定画面を表示してもよい。これにより、ユーザーは、操作パネル１０に表示される設定画面を正面の方向からだけでなく、正面以外の方向からでも視認しやすくなる。複数の方向から設定画面を視認することが可能となるので、複数人が同時に操作することが可能となり、ユーザーの利便性が向上する。
【００７９】
［実施の形態４］
次に、実施の形態４について説明する。実施の形態１においては、操作パネル１０が折り曲げられると、制御部７０は、操作パネル１０の表示領域を折り曲げ位置を境に領域Ｍ１と領域Ｓ１とに分割し、折り曲げられる前の操作パネル１０に表示していた画面の一部のみを領域Ｍ１に継続して表示し、折り曲げられる前の操作パネル１０には表示していなかった新たな情報を領域Ｓ１に表示した。すなわち、ユーザーは、領域Ｍ１において画面操作を継続することができた。これに対し、実施の形態４においては、操作パネルが画像形成装置の背面部の方向に折り曲げられると、制御部は、操作パネルの表示領域を折り曲げ位置を境に分割し、画像形成装置の正面部の方向に向いている領域では、画面を消灯させ、故障が発生している方向に向いている領域では、折り曲げられる前の操作パネルには表示していなかった新たな情報を表示する。これにより、画像形成装置の正面部の方向に向いている領域においては画面操作が抑制される。なお、実施の形態１と同様の構成については同じ符号を付して、その説明は繰り返さない。
【００８０】
図１０は、実施の形態４において、画像形成装置１００の背面部において故障が発生し、かつ、操作パネル１０が画像形成装置１００の背面部の方向に折り曲げられたときの表示の一例を示す図である。ここでは、折り曲げられる前の操作パネル１０には図３に示したコピーの設定画面が表示されていたものとして説明する。
【００８１】
図１０に示す１点鎖線Ｐ４は、ユーザーによる折り曲げ位置を示している。操作パネル１０の表示領域は、折り曲げ位置を境に、画像形成装置１００の正面部の方向に向いている領域（以下、「領域Ｍ４」とも称す）と、画像形成装置１００の背面部の方向に向いている領域（以下、「領域Ｓ４」とも称す）とに分割される。領域Ｍ４では、画面が消灯し、ユーザーによる操作が不能な状態となる。一方、領域Ｓ４には、折り曲げられる前の操作パネル１０には表示されていなかった故障修理方法の画面が表示される。
【００８２】
画像形成装置１００が故障から復帰した場合には、操作パネル１０の分割表示が解除される。これにより、故障修理方法の画面が消去され、折り曲げられる前の操作パネル１０に表示されていたコピーの設定画面が操作パネル１０の表示領域の全面に表示される。
【００８３】
図１１は、実施の形態４における制御部７０の処理を示すフローチャートである。ＣＰＵ７１がＲＯＭ７２に格納されている所定のプログラムを実行することにより実現される。
【００８４】
ステップＳ１１１０において、制御部７０は、画像形成装置１００の背面部で故障が発生しているか否かを判定する。画像形成装置１００の背面部で故障が発生している場合には（ステップＳ１１１０においてＹＥＳ）、制御部７０は、ステップＳ１１２０に移行する。一方、画像形成装置１００の背面部で故障が発生していない場合には（ステップＳ１１１０においてＮＯ）、制御部７０は、図１１に示す処理を終了する。
【００８５】
ステップＳ１１２０において、制御部７０は、操作パネル１０が画像形成装置１００の背面部の方向に折り曲げられたか否かを判定する。制御部７０は、操作パネル１０が画像形成装置１００の背面部の方向に折り曲げられるまでステップＳ１１２０を繰り返し、操作パネル１０が画像形成装置１００の背面部の方向に折り曲げられた場合には（ステップＳ１１２０においてＹＥＳ）、ステップＳ１１３０に移行する。
【００８６】
ステップＳ１１３０において、制御部７０は、折り曲げ位置を境に、操作パネル１０の表示領域を領域Ｍ４と領域Ｓ４とに分割する。領域Ｍ４は画像形成装置１００の正面部の方向に向いている領域であり、領域Ｓ４は画像形成装置１００の背面部の方向に向いている領域である。
【００８７】
ステップＳ１１４０において、制御部７０は、領域Ｍ４の画面を消灯させてユーザーによる操作を不能にし、領域Ｓ４には、折り曲げられる前の操作パネル１０には表示していなかった新たな情報（例えば、故障修理方法の画面等）を表示する。
【００８８】
ステップＳ１１５０において、制御部７０は、画像形成装置１００が故障から復帰したか否かを判定する。制御部７０は、画像形成装置１００が故障から復帰するまでステップＳ１１５０を繰り返し、画像形成装置１００が故障から復帰した場合には（ステップＳ１１５０においてＹＥＳ）、ステップＳ１１６０に移行する。
【００８９】
ステップＳ１１６０において、制御部７０は、操作パネル１０の分割表示を解除し、図１１に示す処理を終了する。
【００９０】
このように、実施の形態４においては、画像形成装置１００の背面部で故障が発生し、かつ、操作パネル１０が画像形成装置１００の背面部の方向に折り曲げられた場合には、制御部７０は、折り曲げ位置を境に操作パネル１０の表示領域を、画像形成装置１００の正面部の方向に向いている領域Ｍ４と、画像形成装置１００の背面部の方向に向いている領域Ｓ４とに分割し、領域Ｓ４には、折り曲げられる前の操作パネル１０には表示していなかった修理に関する情報を表示する。これにより、エンジニアは、操作パネル１０に表示される修理に関する情報を正面以外の方向からでも視認しやすくなる。その結果、エンジニアは、操作パネル１０に表示される修理に関する情報を閲覧するために、故障箇所と操作パネル１０との間を行き来する必要がないので、円滑に修理を行うことができる。
【００９１】
また、実施の形態４においては、画像形成装置１００の背面部で故障が発生し、かつ、操作パネル１０が画像形成装置１００の背面部の方向に折り曲げられた場合には、制御部７０は、折り曲げ位置を境に操作パネル１０の表示領域を、画像形成装置１００の正面部の方向に向いている領域Ｍ４と、画像形成装置１００の背面部の方向に向いている領域Ｓ４とに分割し、領域Ｍ４の画面を消灯させてユーザーによる操作を不能にする。エンジニアが電気系部品を修理している際に、ユーザーが領域Ｍ４において画面操作をしてしまうと、エンジニアが感電する危険性がある。しかしながら、制御部７０は、領域Ｍ４における画面を消灯させて、ユーザーによる操作を不能にする。これにより、修理作業中にユーザーによる操作が行われないので、エンジニアが感電する危険性が回避される。
【００９２】
また、実施の形態４においては、画像形成装置１００が故障から復帰した場合には、制御部７０は、操作パネル１０の分割表示を解除し、折り曲げられる前の操作パネル１０に表示していた画面を操作パネル１０の表示領域の全面に表示する。これにより、修理をしていたエンジニア、または、修理後に画像形成装置１００を使用するユーザーに、操作パネル１０の折り曲げ状態を解除してもよいことを喚起することができる。その結果、エンジニアが修理後に操作パネル１０の折り曲げ状態を解除し忘れることを防ぐことができる。仮に、エンジニアが操作パネル１０の折り曲げ状態を解除し忘れていたとしても、次に画像形成装置１００を使用するユーザーが操作パネル１０の折り曲げ状態を解除してもよいことに気づくことができる。
【００９３】
なお、実施の形態４においては、画像形成装置１００の背面部で故障が発生し、かつ、操作パネル１０が画像形成装置１００の背面部の方向に折り曲げられた場合には、制御部７０は、折り曲げ位置を境に操作パネル１０の表示領域を画像形成装置１００の正面部の方向に向いている領域Ｍ４と、画像形成装置１００の背面部の方向に向いている領域Ｓ４とに分割し、領域Ｍ４の画面を消灯させてユーザーによる操作を不能にした。これに対し、画像形成装置１００の背面部で故障が発生し、かつ、操作パネル１０が画像形成装置１００の背面部の方向に折り曲げられた場合には、制御部７０は、折り曲げ位置を境に操作パネル１０の表示領域を、画像形成装置１００の正面部の方向に向いている領域Ｍ４と、画像形成装置１００の背面部の方向に向いている領域Ｓ４とに分割し、領域Ｍ４の画面を消灯させることに替えて、領域Ｍ４に操作を禁止する旨のメッセージを表示してもよい。
【００９４】
［実施の形態５］
次に、実施の形態５について説明する。実施の形態１〜実施の形態４においては、操作パネル１０は画像形成装置１００に対して回転不可能な状態で設けられていた。これに対し、実施の形態５においては、操作パネルが画像形成装置に対して回転自在に設けられている。なお、実施の形態１と同様の構成については同じ符号を付して、その説明は繰り返さない。
【００９５】
図１２は、実施の形態５における画像形成装置１００Ａを示す図である。画像形成装置１００Ａは、操作パネル１０Ａを備えている。操作パネル１０Ａは、本体９０の横に取り付けられた設置台１０１の上に支柱１０２に支えられた状態で装着されている。操作パネル１０Ａは、支柱１０２を回転軸として上下左右に回転可能である。
【００９６】
操作パネル１０Ａは、タッチパネル付の液晶ディスプレイ（ＬＣＤ：Liquid Crystal Display）であり、ユーザーからの各種操作を受け付けるとともに、各種設定画面、または、インストラクションを表示する。インストラクションとは、画像形成装置１００Ａで故障が発生した場合の修理に関する情報であり、例えば、故障の発生箇所、故障の内容、修理手順、修理が完了したことを示すメッセージ、消耗品の交換を促すメッセージ、消耗品の交換手順等である。操作パネル１０Ａは、ユーザーが任意の位置で、任意の方向に折り曲げることができる。
【００９７】
制御部７０は、図５、図７、図９、または図１１で示した処理を行うことにより、操作パネル１０Ａの分割表示を行う。
【００９８】
このように、操作パネル１０Ａが折り曲げ可能であることに加え、操作パネル１０Ａが回転可能であることから、操作パネル１０Ａがエンジニアまたはユーザーの向けたい方向により向きやすくなる。その結果、修理作業の場面においては、エンジニアは正面以外の方向からでも操作パネル１０Ａに表示されている情報を視認しやすくなるので、エンジニアはより円滑に修理を行うことができる。詰まった紙を取り除く場面においては、エンジニアまたはユーザーは正面以外の方向からでも操作パネル１０Ａに表示されている情報を視認しやすくなるので、エンジニアまたはユーザーがより円滑に紙を取り除くことができる。画像形成装置１００Ａの設定操作を行う場面においては、ユーザーは正面以外の方向からでも操作パネル１０Ａに表示されている情報を視認しやすくなるので、ユーザーはより円滑に画像形成装置１００Ａを操作することができる。
【００９９】
以上、各実施の形態について説明した。なお、実施の形態１における領域Ｓ１、実施の形態２における領域Ｓ２、実施の形態３における領域Ｓ３、または、実施の形態４における領域Ｓ４には、修理に関する情報が表示されていればよく、故障の発生箇所、故障の内容、修理手順、修理が完了したことを示すメッセージ、消耗品の交換を促すメッセージ、または、消耗品の交換手順が表示されていてもよい。
【０１００】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０１】
１０，１０Ａ  操作パネル、７０  制御部、７１  ＣＰＵ、７２  ＲＯＭ、９０  本体、１００，１００Ａ  画像形成装置。
【図１】
2020187591.tif 000003
【図２】
2020187591.tif 000004
【図３】
2020187591.tif 000005
【図４】
2020187591.tif 000006
【図５】
2020187591.tif 000007
【図６】
2020187591.tif 000008
【図７】
2020187591.tif 000009
【図８】
2020187591.tif 000010
【図９】
2020187591.tif 000011
【図１０】
2020187591.tif 000012
【図１１】
2020187591.tif 000013
【図１２】
2020187591.tif 000014